(57)【要約】  【課題】  ロール紙（連続用紙）を、軸に対して周方向に回転可能、軸方向には移動不能に固定するが、それを簡単な操作で、作業者の力に関係なく確実に固定することができる固定装置を提供する。  【解決手段】  ロール紙Ｒを挿通支持するロール紙保持軸１にロール紙を嵌合装着し、そのロール紙の軸方向両端をロール紙押え板３、７で規制し、ロール紙を回転可能に支持するロール紙固定装置において、前記ロール紙保持軸１の外周に、一対のロール紙押え板３、７を配置し、且つ前記ロール紙保持軸の外周面を巻着する摩擦部材５を設け、更に前記ロール紙押え板は、前記摩擦部材を径方向に押圧して前記ロール紙保持軸１に固定する外力付与手段８を備え、その外力付与手段８の操作によりロール紙押え板３、７をロール紙保持軸１に係脱可能とした。  【選択図】  図１
2008297045.tif 000002
【特許請求の範囲】
【請求項１】
ロール紙を挿通支持するロール紙保持軸にロール紙を嵌合装着し、そのロール紙の軸方向両端をロール紙押え板で規制し、ロール紙を回転可能に支持するロール紙固定装置において、
前記ロール紙保持軸の外周に、前記保持軸と嵌着する一対のロール紙押え板を配置し、且つ前記ロール紙保持軸の外周面を巻着する摩擦部材を設け、更に前記ロール紙押え板は、前記摩擦部材を径方向に押圧して該ロール紙保持軸に固定する外力付与手段を備え、ロール紙押え板をロール紙保持軸に係脱可能としたことを特徴とするロール紙固定装置。
【請求項２】
前記摩擦部材は、ロール紙保持軸の外周面と対応して配置した摩擦係着板と、その摩擦係着板の径方向外側に積層配置した緊締板とで構成され、該緊締板の周方向の一方端が前記ロール紙押え板の内側に配置した受け筒に固定され、且つ緊締板の周方向開放側と対応する位置に、前記外力付与手段の作用点が配置されていることを特徴とする請求項１記載のロール紙固定装置。
【請求項３】
前記外力付与手段は、前記ロール紙押え板の筒部に弾発揺動可能に取り付けた梃子で、力点側に該梃子を常時外方へ付勢する弾機を配置し、作用点側には筒部を貫通して前記摩擦部材を径方向外側から押圧する突起が設けられていることを特徴とする請求項１又は２記載のロール紙固定装置。
【請求項４】
前記外力付与手段は、前記可動ロール紙押え板の筒部に、押し子を径方向外方に弾発出没可能に配置し、筒部の外側には前記押し子を弾機の弾発力に抗して径方向内方に押し出す回動摘みを配置したことを特徴とする請求項１又は２記載のロール紙固定装置。
【発明の詳細な説明】
【技術分野】
【０００１】
本発明はプリンタ装置で使用されるロール紙の固定装置に関し、更に詳しくはロール紙をロール紙保持軸に対して軸方向にガタ付くことなく定着固定する固定装置に関する。
【背景技術】
【０００２】
プリンタ装置における従来のロール紙（連続用紙）の固定方法として、ロール紙を支持する軸（サプライコア）のロール紙挿入側より軸方向に移動可能に嵌合する用紙挿入側の押え板（サプライホルダ）の円筒部に周方向に間隔をおいて軸芯と平行にスリットを形成し、そのスリット相互で区画された筒部周壁が径方向内外側に弾性変形できるように構成され、更にその円筒部の外周面にねじ部を形成し、該ねじ部に円筒部の外径より小さい内径を有する固定環を螺合して、押え板を軸に固定する方法が提案されている（例えば、特許文献１参照）。
【０００３】
上記固定方式は、押え板の円筒部に固定環を螺合することで、前記スリットで弾性変形可能な円筒部を径方向に収縮させ、軸の外周面に圧接させて摩擦係止するものである。
その為に、押え板の円筒部に対して固定環は外しておき、軸にロール紙を挿入した後、押え板を軸に嵌合し、押え板の円板部分をロール紙の軸方向端面に当接させた後、軸の開放端部側から固定環を嵌合し、押え板の円筒部に螺合する。
【０００４】
その為に、ロール紙を軸にセット固定するまでの手順動作が多く、しかも、押え板を軸に対して固定する固定環は該押え板と分離している為、該固定環を紛失する、或いは固定環を締め付けるのを忘れるといった問題点が発生していた。
また、固定環の締め付けは、作業者の力の強弱によりバラツキが発生しやすく、押え板の固定が不完全な状態となる等の問題点を有する。
【０００５】
【特許文献１】特許第３７７９５２５号公報（第１２頁、図１６、図１８、図２３参照）
【発明の開示】
【発明が解決しようとする課題】
【０００６】
本発明は、上記した従来の技術が有する問題点に鑑みてなされたもので、その課題は簡単な操作で、バラ付きなく確実にロール紙を固定することができる固定装置を提供することにある。
【課題を解決するための手段】
【０００７】
上記課題を達成する為に本発明のロール紙固定装置は、ロール紙を挿通支持するロール紙保持軸にロール紙を嵌合装着し、そのロール紙の軸方向両端をロール紙押え板で規制し、ロール紙を回転可能に支持するロール紙固定装置において、前記ロール紙保持軸の外周に、前記保持軸と嵌着する一対のロール紙押え板を配置し、且つ前記ロール紙保持軸の外周面を巻着する摩擦部材を設け、更に前記ロール紙押え板は、前記摩擦部材を径方向に押圧して該ロール紙保持軸に固定する外力付与手段を備え、その外力付与手段の操作によりロール紙押え板をロール紙保持軸に係脱可能とした構成を特徴とする（請求項１）。
前記ロール紙保持軸の形態は、軸方向の一方端を鉛直部材に対して略直角に固定し、他方端を水平に突出させた片持ち構造、或いは軸方向の両側部を鉛直部材で着脱可能に支持した両持ち構造の何れでもよい。又、ロール紙保持軸は固定タイプ、或いは支軸に挿通されて回転するタイプ、更にはロール紙のセンタリング機構を内蔵したロール紙保持軸等、何れでもよい。
前記固定装置は、ロール紙を挟持する軸方向両側のロール紙押え板に装備する、或いは軸方向の何れか一方のロール紙押え板に装備する等、何れでもよい。尚、ロール紙保持軸が片持ち構造の場合、固定側に配置するロール紙押え板は、ロール紙保持軸に対して摺動させる必要がなければ、摩擦部材の内蔵は不要で、その場合はロール紙保持軸の開放端側に配置するロール紙押え板にのみ本固定装置を装着する。
前記ロール紙押え板は、ロール紙保持軸の外側に嵌着し得る筒部と、その筒部の外側に略直角に突出する鍔状の押え板を有し、前記筒部内には前記ロール紙保持軸に嵌着し得る受け筒を備えてもよい。
従って、前記摩擦部材は、ロール紙押え板が筒部内に受け筒を有する場合は該受け筒に内蔵し、受け筒を有しない場合は筒部に内蔵する。尚、受け筒を備える場合は、その受け筒を筒部内に嵌着一体化する、或いは別体構造として個々に嵌着し得るようにする等、何れでもよい。
また、前記ロール紙押え板に内蔵する摩擦部材は、前記ロール紙保持軸の外周面の全周と接触するリング状，又はリングの一部が切断され軸周面の一部と接触する断面略Ｃ字型等、何れでもよい。但し、連続したリング状の場合は外力を受けて縮径動作がスムーズに行われるようにするために、周方向に間隔をおいてスリットを形成してもよい。
前記摩擦部材は、摩擦係数の大きな弾性部材、例えばゴム、フェルト、樹脂材の単体、或いはそれらの積層体、更に他の部材との組み合わせ等、何れでもよく、要はロール紙保持軸の外周面に摩擦部材を押し付けた状態で、該摩擦部材を収容するロール紙押え板が軸方向に移動したり、周方向に回転したりしなければよい。
又、本発明で言うロール紙は、長尺帯状の紙をロール状に巻いたものに限らず、フィルムをロール状に巻いたもの等、所謂ロール状の消耗品であればよい。
【０００８】
上記手段によれば、外力付与手段を操作して外力が摩擦部材に作用しない状態にしてロール紙保持軸の外側にロール紙押え板を嵌着する。そして、ロール紙押え板をロール紙保持軸上の所定の位置に嵌着した時、前記外力付与手段を操作して、外力が摩擦部材に作用するようにする。すると、予め外力付与手段に設けた弾機等の外力によってロール紙押え板に内蔵した摩擦部材が径方向内方に押圧され、ロール紙保持軸の外周面を緊締圧着する。それにより、ロール紙保持軸に対してロール紙押え板は前記摩擦部材を介して固定される。従って、一対のロール紙押え板の間に支持されるロール紙は、ロール紙保持軸の軸方向への動きが規制され、定位置に回転可能に保持される。
そして、ロール紙押え板は該押え板をロール紙保持軸に固定する為の外力付与手段を一体に備えている為、固定忘れや固定の為の部材を紛失といった心配がない。
【０００９】
前記ロール紙押え板は内部に摩擦部材を内蔵するため、内側に受け筒を備えるが、その受け筒とロール紙押え板は夫々独立した構成とし、ロール紙保持軸に対して順番に組み付けるようにする、或いは受け筒とロール紙押え板を組み上げて一体構造とし、一つものとしてロール紙保持軸に嵌着するようにしてもよい。
又、前記摩擦部材の具体的構造は、例えば、ロール紙保持軸の外周面と対応して配置した摩擦係着板と、その摩擦係着板の径方向外側に積層配置した緊締板とで構成し、該緊締板の周方向の一方端を前記ロール紙押え板の内側に配置した受け筒に固定し、且つ緊締板の周方向開放側と対応する位置に、前記外力付与手段の作用点を配置する（請求項２）。
摩擦係着板は、前記した摩擦係数の大きな弾性部材、例えば、ゴム、フェルト、樹脂材等で、緊締板は、外力を受けて撓み変形する部材、例えば、ステンレス板、鋼板、鉄板等を使用することができ、摩擦係着板及び緊締板は何れも断面略Ｃ字型に形成する。
【００１０】
上記手段によれば、周方向の一端が固定された緊締板の開放端側に、外力付与手段によって外力が作用すると、該緊締板は固定端を支点としてロール紙保持軸の外周面方向（径方向内方）に移動され、その緊締板の中心方向への移動により該緊締板の内側に配置された摩擦係着板はロール紙保持軸の外周面に圧着される。それにより摩擦部材を備えた受け筒はロール紙保持軸に対して軸方向及び周方向に移動不能に摩擦係止される。
又、緊締板への外力付与が除去される（ロール紙押え板を受け筒から外す、又は外力付与を解除する）と、周方向の一端を固定された緊締板はロール紙保持軸から離れる方向に拡開移動し、それによりロール紙保持軸の外周面に圧着されていた摩擦係着板の圧着も開放され、受け筒はロール紙保持軸に対し軸方向及び周方向に移動可能となる。
【００１１】
前記摩擦部材に外力を付与する外力付与手段の具体的構造としては、例えば、梃子の原理を利用した構成が挙げられる。その構成は、前記受け筒の外周面と対向する前記ロール紙押え板の筒部の周方向に沿って梃子を配置し、その梃子の力点側に該梃子を常時外方へ付勢する弾機を配置し、作用点側には筒部を貫通し、更に受け筒を貫通して内部に収容された前記摩擦部材を径方向外側から押圧する突起を突設する（請求項３）。
【００１２】
上記手段によれば、梃子の力点側を弾機の弾発力に抗して押え、それにより作用点側の突起をロール紙押え板の筒部内に引き上げ収容した状態とすることで、該ロール紙押え板を受け筒の外側に嵌合することができる。そして、ロール紙押え板を周方向に回動し、梃子の作用点である突起の位置が、受け筒に開設された前記突起を受け入れる孔と合致すると、該突起は力点側に配置した弾機の弾発力で径方向内方に付勢されているため前記孔に嵌入し、突起の先端は受け筒に収容された摩擦部材を加圧する。その結果、該摩擦部材の最内側に配置された部材（摩擦係着板）はロール紙保持軸の外周面に圧着され、ロール紙保持軸に対し受け筒は摩擦係着され、更に受け筒とロール紙押え板は梃子を介して連結一体化される。従って、ロール紙押え板の筒部に配置した梃子の力点側を該筒部と一緒に握り、ロール紙押え板の筒部を受け筒に嵌着後、筒部の握りを解除することで、弾機の弾発力による一定した圧着力でロール紙押え板を固定することができる。
【００１３】
又、摩擦部材に外力を付与する外力付与手段は梃子に限らず、次のような構成としてもよい。例えば、前記受け筒の外周面と対向する前記ロール紙押え板の筒部内に、押し子を径方向外方に弾発出没可能に配置し、筒部の外側には前記押し子を弾機の弾発力に抗して径方向内方に押し出す回動摘みを配置してもよい（請求項４）。
そして、押し子を弾機の弾発力に抗して径方向内方に押し出す回動摘みの形態は、該筒部の周方向に一定範囲移動するリング様摘みを配置し、そのリング様摘みの下面を回動方向に沿って傾斜面とし、そのリング様摘みの回動に伴う傾斜面の移動により前記押し子を径方向内方に押圧する構造、或いはロール紙押え板の筒部に、径方向内方に向かって出没する摘みを螺合取り付け、その摘みの回動で前記押し子を押圧する構造等何れでもよい。
【００１４】
上記手段によれば、ロール紙押え板の筒部に設けた回動摘みを操作することで、筒部に内蔵した押し子が弾機の弾発力に抗して径方向内方に押圧され、該押し子は受け筒の内側に内蔵された摩擦部材を加圧する。その結果、該摩擦部材の最内側に配置された部材（摩擦係着板）はロール紙保持軸の外周面に圧着され、受け筒はロール紙保持軸に対し摩擦係着される。
【発明の効果】
【００１５】
本発明のロール紙固定装置は請求項１記載の構成により、ロール紙押え板を受け筒の外側に嵌着し、且つ該ロール紙押え板の筒部に装備された外力付与手段を操作することで、ロール紙を挾着する押え板をロール紙保持軸に簡単に固定することができる。
そして、ロール紙押え板は該押え板を受け筒に固定する為の外力付与手段を押え板に一体に備えている為、固定忘れや固定の為の部材を紛失といった心配がない。
又、請求項２記載の構成により、受け筒に内蔵した摩擦部材はロール紙保持軸の外周面と面接触で圧着される。それにより、安定した固定状態を確立することができる。
【００１６】
更に、請求項３記載の構成により、ロール紙押え板の筒部に配置した梃子の力点側を該筒部と一緒に握り、ロール紙押え板の筒部を受け筒に嵌着後、筒部の握りを解除することで、弾機の弾発力による一定した圧着力でロール紙押え板を固定することができる。
又、固定忘れや、操作する人の力の強弱による固定状態にバラツキが発生するのを防止し、常に安定した固定状態を確立できる。
また、請求項４記載の構成により、ロール紙押え板を受け筒に嵌着後、該押え板と一体の筒部に装備した回動摘みを操作することで、摩擦部材を確実に圧着し、ロール紙押え板を固定することができる。
【発明を実施するための最良の形態】
【００１７】
以下、本発明の実施の形態を、ロール紙保持軸が片持ち固定タイプについて図面に基いて説明する。
図１乃至図５は、ロール紙押え板に装備する外力付与手段として梃子を用いた実施例を示し、図中、１はロール紙保持軸で、そのプリンタ装置で使用する最大幅のロール紙よりも長く形成され、その軸方向の一端（図１では左側）がプリンタ装置（図示省略）の印字機構を配置する鉛直に支持された取付基板２１に直角に交差させて固着して水平に突出され、そのロール紙保持軸１の他端側（図面では右側）は開放されており、開放端側からロール紙Ｒ、ロール紙Ｒを支持する受け筒、及びロール紙Ｒの軸方向の位置を規制するロール紙押え板等を差し込み、或いは抜き取ることができるように構成されている。
前記ロール紙Ｒとしては、ロール状に巻かれた台紙にラベル用紙が所定間隔をおいて剥離可能に貼着された台紙付きラベル、或いはラベル用紙がロール状に巻かれ、印字後ラベル毎に切断分離して使用する台紙無しラベル、更にはフィルムロールなどが挙げられる。
【００１８】
前記ロール紙保持軸1の固定端側には受け筒２と、その受け筒２の外側に固定ロール紙押え板３が固着され、これによって該ロール紙保持軸１の開放端側から挿入されるロール紙Ｒの奥側の位置が規制されるようになっている。
前記受け筒２は、短尺の筒体２ａの軸方向一方端に、該筒体２ａの外径より大径な鍔部２ｂを径方向外方に向けて突設した鍔付き筒体（段付き筒）で、前記筒体２ａの外側には固定ロール紙押え板３が嵌合固着されている。尚、受け筒２の鍔部２ｂの軸方向端面は固定ロール紙押え板３の軸方向端面が当接することで、該固定ロール紙押え板３の位置が決定され、鍔部２ｂの外周面はロール紙Ｒの支持部として機能する。
【００１９】
固定ロール紙押え板３は、前記受け筒２の筒体２ａの外側に嵌合する筒部３ａと、その筒部３ａの軸方向一方端に該筒部３ａの外径より大径な押え板３ｂを径方向外方に向けて突設しており、押え板３ｂの外径はロール紙保持軸１にセットするロール紙Ｒの外径に合わせて適宜決定される。又、ロール紙保持軸１に対する受け筒２と固定ロール紙押え板３の固定は、固定ロール紙押え板３の外側から径方向内方に向かって止ネジを挿入し、固定ロール紙押え板３と受け筒２とロール紙保持軸１の三部材を一括固定する等、任意である。
【００２０】
前記ロール紙保持軸１の開放端側から該保持軸１に差し込む受け筒４は、前記固定端側の受け筒２と同様、短尺の筒体４ａの軸方向一方端に、該筒体４ａの外径より大径な鍔部４ｂを径方向外方に向けて突設した鍔付き筒体（段付き筒）で、前記筒体４ａの内側には前記ロール紙保持軸１の外周面を巻着する摩擦部材５が内蔵され、更に前記筒体４ａの外周面には前記摩擦部材５を径方向内方に向けて押圧する外力付与手段の作用点側が嵌脱する通孔６が形成されている。
【００２１】
前記摩擦部材５は、前記ロール紙保持軸１の外周面と対応して配置した断面略Ｃ字型の摩擦係着板５ａと、その摩擦係着板５ａの径方向外側に積層配置した断面略Ｃ字型の緊締板５ｂとで構成されている。
そして、ロール紙保持軸１の外周面と対応させて配置する摩擦係着板５ａは、摩擦係数の大きな部材、例えば、ゴム材、フェルト材、或いは金属材（ステンレス材、鋼材、鉄材等）、樹脂材等の帯板を、その帯板の長手方向を断面略Ｃ字型に湾曲形成し、前記ロール紙保持軸１を外側より巻着し得るように構成されている。
又、前記摩擦係着板５ａの外側に配置する緊締板５ｂは、撓み変形する金属帯板、例えば、ステンレス板、鋼板、鉄板等を、その長手方向に沿って断面略Ｃ字型に湾曲形成し、その周方向の一方端が前記受け筒４の内周面に固定され、他方端は開放されている。
それにより、前記緊締板５ｂの開放端側に外力が作用して、該緊締板５ｂの開放端側が径方向内方に移動すると、それに伴い緊締板５ｂの内側に配置された摩擦係着板５ａを径方向内方に押圧し、前記ロール紙保持軸１の外周面に圧着する。尚、緊締板５ｂの周長は、前記摩擦係着板５ａをロール紙保持軸１の外周面に対して効率よく圧着する為に、周長の約１／２前後が好適で、それ以上長い場合は１箇所への外力付与で緊締板を摩擦係着板に均等に圧接することは困難である。
【００２２】
受け筒４の筒体４ａに開設する通孔６は、後述する可動ロール紙押え板７に装備される外力付与手段８の作用点側が嵌脱する孔で、その通孔６の形状は作用点を単に外側から内側に貫通案内する為の円形の縦孔のみでもよいが、図１に示すように筒体４ａの軸方向端面から前記通孔６に亘って外周面に案内溝９を切欠形成してもよい。
【００２３】
可動ロール紙押え板７は、前記受け筒４の筒体４ａの外側に嵌合する断面円形の短尺筒部７ａと、その短尺筒部７ａの軸方向一方端外周に径方向外側に向けて突設した大径な押え板７ｂとで構成されている。そして、押え板７ｂの外径はロール紙保持軸１にセットするロール紙Ｒの外径に合わせて適宜決定される。尚、ロール紙Ｒは、ロール紙保持軸１の固定端側に固着される固定ロール紙押え板３の押え板３ｂと、可動ロール紙押え板７の押え板７ｂとで挟む為、固定ロール紙押え板３の押え板３ｂと、可動ロール紙押え板７の押え板７ｂの外径は同じ外径とするのが好ましい。
【００２４】
又、前記筒部７ａには前記受け筒４に内蔵した摩擦部材５を縮径し、ロール紙保持軸１の外周面に圧着係止し、受け筒４を介して該可動ロール紙押え板７をロール紙保持軸１に固定する外力付与手段８が装備されている。
その外力付与手段８は、図５に示すように、筒部７ａの周方向に沿って配置した梃子１０と、該梃子１０の支点１０ａを挟む一方の力点１０ｂ側を前記支点を中心として常時径方向外方へ付勢する弾機１１と、支点を挟む他方の作用点１０ｃ側の受け筒４外周面と対応する面に突設した突起１２とで構成され、前記弾機１１の弾発力で突起１２が受け筒４の通孔６を貫通して摩擦部材５の緊締板５ｂを押圧するように構成されている。
【００２５】
前記筒部７ａに対する梃子１０の取り付けは、該筒部７ａの周壁に梃子１０の支点１０ａ及び作用点１０ｃ側が嵌入する溝１３を切欠開口し、その溝１３に梃子１０の支点１０ａを軸１４で上下回動可能に軸支し、更に梃子１０の力点１０ｂ側と筒部７ａに開設した弾機取付凹部１５とに亘って弾機（コイルスプリング）１１が弾圧装着されている。それにより、梃子１０は支点１０ａを中心として作用点１０ｃ側が径方向内方に向けて押圧されている。
又、梃子１０における力点１０ｂ側の弾機１１を取り付けた側と反対側には、該梃子１０の力点１０ｂ側を弾機１１の弾発力に抗して筒部７ａ側に押し下げる操作部１０ｄが略直角水平に形成されている。
【００２６】
次に、ロール紙保持軸１にロール紙Ｒをセットする操作について説明する。
先ず、図１に示すロール紙保持軸１の開放端側より、ロール紙Ｒを差し込み、該ロール紙Ｒの芯管Ｒ’を受け筒２の鍔部２ｂと、受け筒４の鍔部４ｂとで支持する。
次に、ロール紙保持軸１の開放端側より可動ロール紙押え板７を前記受け筒４の筒体４ａ外側に嵌着するが、該可動ロール紙押え板７を嵌着する時、筒部７ａに装備されている外力付与手段８の梃子１０の力点１０ｂ側に形成した操作部１０ｄを弾機１１の弾発力に抗して前記筒部７ａと一緒に握る。それにより、梃子１０の作用点１０ｃ側は軸１４を支点として径方向上向きに引き上げられ、作用点１０ｃ側に突設した突起１２の先端（下端）は筒部７ａの周壁内に保持され、可動ロール紙押え板７を受け筒４の外側に嵌着する際、差し込みの障害になることはなくなる。
【００２７】
従って、操作部１０ｄを握ったままで可動ロール紙押え板７を受け筒４の筒体４ａ外側に嵌着し、嵌着後、前記梃子１０の操作部１０ｄの握り（加圧）を開放すると、梃子１０の作用点１０ｃ側は力点１０ａ側に配置した弾機１１の弾発力で下方に押し下げられ、作用点１０ｃ側の突起１２は筒部７ａの溝１３、及び受け筒４の通孔６を貫通して、該受け筒４の内側に内蔵されている摩擦部材５の緊締板５ｂを押圧する。それにより、周方向の一方端が固定されている緊締板５ｂは、前記押圧によって緊締板５ｂの開放側が径方向内方に押圧される為、該緊締板５ｂとロール紙保持軸１との接触形態は、点接触から面接触に変化する。これにより、緊締板５ｂの内側（下側）に積層配置された摩擦係着板５ａはロール紙保持軸１の外周面に押圧密着される。従って、受け筒４は前記摩擦部材５によってロール紙保持軸１に摩擦固定され、更に該受け筒４と可動ロール紙押え板７は外力付与手段８を介して係着一体化される。その結果、図２に示すように、ロール紙保持軸１の開放端側より嵌着した可動ロール紙押え板７はロール紙保持軸１に対して軸方向及び周方向に移動不可の状態に固定され、ロール紙Ｒは固定ロール紙押え板３と可動ロール紙押え板７との間に挟まれた状態で受け筒２，４上に回転可能に支持される。
【００２８】
前記した可動ロール紙押え板７の取り付け手順は、予め梃子１０の突起１２の位置を受け筒４の通孔６の線上に合わせて差し込んだ場合で、位置を合わせて差し込んだ場合である。しかし、梃子１０の突起１２の位置と受け筒４の通孔６とが合致していない場合であっても、可動ロール紙押え板７を受け筒４に嵌着後、該可動ロール紙押え板７を受け筒４の外周面上を周方向に回動することで、可動ロール紙押え板７の筒部に取り付けられた梃子１０の突起１２は、弾機１１の弾発力で受け筒４の外周面に圧接された状態で移動し、突起１２が受け筒４の通孔６の位置に位置すると、突起１２を受け止めていたものがなくなるため該突起１２は自動的に通孔６に嵌入し、摩擦部材５を付勢する状態となる。
【００２９】
又、可動ロール紙押え板７を嵌着する場合、梃子１０の操作部１０ｄを握らずにロール紙保持軸１の開放端側から嵌着すると、梃子１０の突起１２は弾機１１の弾発力で筒部７ａの溝１３を貫通して内周面より突出している為、該突起１２が受け筒４の軸方向端面に当接し、嵌着が阻止される。その状態で、梃子１０の操作部１０ｄを弾機１１の弾発力に抗して握り、突起１２を径方向外方（上方）に引き上げ、その状態を維持したまま可動ロール紙押え板７を受け筒４の外周面上を周方向に回動する。そして、梃子１０の突起１２が、受け筒４の端面に切り欠いた通孔６への案内溝９と合致すると、可動ロール紙押え板７は軸方向に沿った移動が可能となり、前記案内溝９の終端側まで移動した後は、その位置に通孔６があるため突起１２は該通孔６を貫通して摩擦部材５を押圧付勢する状態となる。
そして、上記した何れの操作においても、最終的には弾機１１の弾発力で摩擦部材５がロール紙保持軸１に圧着され、可動ロール紙押え板７が固定されるため、作業する人の力の強弱等に関係なく、常に安定した固定状態を確立できる。
【００３０】
上記実施の形態における摩擦部材５を圧着する外力付与手段８は、梃子を応用したものであるが、他の実施例を図６〜図８に基いて説明する。尚、前示実施例と同じ部材は同じ符号を付し、説明を省略する。
図６は、受け筒４に内蔵した摩擦部材５を径方向内方へ押圧する押し子１６が、可動ロール紙押え板７の筒部７a内に、径方向に出没可能に収容され、且つ弾機１７で径方向外方に弾発付勢されている。そして、筒部７aの外周面より径方向外方に突出する前記押し子１６の頂部と該筒部７ａの外周面とに亘って押下げ板１８が配置され、その押下げ板１８を筒部７ａの外側に取り付けた回動摘み１９の周方向（時計回り方向）への回動によって径方向内方（下方）に押圧し、図７に示すように通孔６を貫通した押し子１６は摩擦部材５の緊締板５ｂを押圧する。それにより、緊締板５ｂの内側（下側）に積層配置された摩擦係着板５ａはロール紙保持軸１の外周面に圧着され、その結果、可動ロール紙押え板７は受け筒４を介して軸方向及び周方向移動不能に固定される。尚、前記回動摘み１９は回動方向に沿った先端側が上向の傾斜面に形成され、回動による押下げ板１８の加圧がスムーズに行われるように構成されている。
可動ロール紙押え板７の固定を解除する時は、回動摘み１９を反時計回り方向に回動すると、その回動に伴い押し子６は弾機１７の弾発力で径方向外方（上方）へ押し上げられ、原点位置（図６の状態）に復帰し、摩擦部材５によるロール紙保持軸１の外周面の圧着も解除される。尚、回動摘み１９の回動範囲を規制し、可動ロール紙押え板７の固定／解除の操作を効率よく行うために、筒部７ａの外周面にストッパ２０，２０’を設けてもよい。
【００３１】
図８は、図６、７に示した実施例において、押し子１６を径方向内方（下方）へ押下げる回動摘み１９’を筒部７ａにねじ込みによって取り付け、該回動摘み１９’の回動により鉛直方向に沿って移動させ、時計回り方向の回動で押し子１６を押下げ（固定）、反時計回り方向への回動で押し子１６は原点位置に復帰（固定解除）するように構成してもよい。
【００３２】
本発明のロール紙固定装置は、上記した実施の形態に限定されるものではなく、発明の要旨を変更しない範囲で変更可能である。
（１）可動ロール紙押え板の筒部と受け筒の筒体との嵌合形状は、図示の円形に限定されず、例えば、正６角形、正４角形等の角形等でもよい。
（２）ロール紙保持軸の外周面と摩擦係着板との間の摩擦力は、実施例に示した該摩擦係着板自体の摩擦係数の大小に基いて発生させる方法に限らず、物理的に発生させる方法でもよい。例えば、ロール紙保持軸の外周面における受け筒が取り付けられる範囲内を凹凸粗面とし、他方、前記ロール紙保持軸と対向する受け筒側の摩擦係着板の接触面も同様の凹凸粗面とし、凹凸粗面同士の係着で固定に必要な摩擦力を発生させるようにしてもよい。その場合、摩擦係着板の材質は問わない。
（３）本実施例のロール紙保持軸は、片持ち構造の固定タイプであるが、該ロール紙保持軸をパイプ状とし、取付基板に固着した支軸に回転可能に嵌合して、ロール紙保持軸、受け筒、ロール紙押え板、ロール紙が一体となって回転するようにしてもよい。
（４）本実施例のロール紙押え板は、一方（ロール紙保持軸の開放端側）のみが本固定装置を備えているが、他方（ロール紙保持軸の固定端側）のロール紙押え板も本固定装置を備えた構成としてもよい。
（５）ロール紙保持軸の支持形態が本実施例のように片持ち構造である場合、ロール紙の軸方向両端を規制するロール紙押え板のうち、ロール紙保持軸の固定端側は該ロール紙保持軸を固定する固定壁面（取付基板）をロール紙押え板として使用してもよい。
（６）本実施例のロール紙保持軸は片持ち構造であるが、ロール紙保持軸の軸方向の両側部を着脱可能に支持する両持ち構造にも本発明のロール紙固定装置は利用可能である。
（７）本発明のロール紙固定装置は、帯状の紙をロール状に巻いたものに限らず、フィルムロールなどロール状の消耗品でもよく、ロール状の消耗品を保持軸で保持し、軸方向両端を押え規制するような装置にも利用することができる。
（８）本実施例におけるロール紙押え板の筒部内側に配置される受け筒は、ロール紙押え板と分離した構成としたが、両部材を接合一体化した構成としてもよい。
【図面の簡単な説明】
【００３３】
【図１】本発明に係るロール紙固定装置の実施の一例を示す平面図で、可動ロール紙押え板を外した状態を示す。
【図２】可動ロール紙押え板を取り付けた状態を示す同平面図。
【図３】同側面図。
【図４】図１の（４）−（４）線に沿える拡大縦断面図。
【図５】図２の（５）−（５）線に沿える拡大縦断面図。
【図６】外力付与手段の他の例を示し、固定前の状態を示す縦断面図。
【図７】回動摘みを操作して固定した状態を示す同縦断面図。
【図８】外力付与手段の他の例を示す部分断面図。
【符号の説明】
【００３４】
１…ロール紙保持軸              ２、４…受け筒
３…ロール紙押え板（固定）          ５…摩擦部材
５ａ…摩擦係着板                    ５ｂ…緊締板
６…通孔                            ７…ロール紙押え板（可動）
７ａ…筒部                          ７ｂ…押え板
８…外力付与手段                  １０…梃子
１０ａ…支点                        １０ｂ…力点
１０ｃ…作用点                        １１…弾機
１２…突起                          １６…押し子
１７…弾機                  １９，１９’…回動摘み
【図１】
2008297045.tif 000003
【図２】
2008297045.tif 000004
【図３】
2008297045.tif 000005
【図４】
2008297045.tif 000006
【図５】
2008297045.tif 000007
【図６】
2008297045.tif 000008
【図７】
2008297045.tif 000009
【図８】
2008297045.tif 000010